(57)【特許請求の範囲】
【請求項１】
二つの筒部と前記筒部と筒部の間に設けられたバルーン本体とを含むバルーンを、内視鏡の挿入部又は前記内視鏡の挿入部の体腔内への挿入を補助する挿入補助具に取り付けるためのバルーン取付冶具において、
軸方向に延びる一方の折れ線に沿って二つ折りされた状態の第１リング片及び軸方向に延びる他方の折れ線に沿って二つ折りされた状態の第２リング片とにより筒状に形成されたリング体と、
前記リング体の縁部一端に連続し、かつ、前記一方の折れ線に沿って二つ折りされた状態の第１ガイド片、及び前記リング体の縁部他端に連続し、かつ、前記他方の折れ線に沿って二つ折りされた状態の第２ガイド片と、
前記第１ガイド片の前記リング体に連続する縁部とは反対側の前記第１ガイド片の縁部に連続して形成された第１導入片、及び前記第２ガイド片の前記リング体に連続する縁部とは反対側の前記第２ガイド片の縁部に連続して形成された第２導入片と、
を備え、前記第１ガイド片と前記第２ガイド片を、重ね合わせ、かつ、その軸方向の中心線に沿って二つ折りされた状態で前記筒部に挿入し、前記筒部内に位置させた後、前記二つ折りされる前の状態に戻し、前記第１導入片と前記第２導入片の間から前記リング体を介して前記二つ折りされる前の状態に戻された前記第１ガイド片と前記第２ガイド片の間に、前記内視鏡の挿入部又は前記挿入補助具が挿入されるようにしたことを特徴とするバルーン取付冶具。
【請求項２】
前記第１及び第２ガイド片には、前記二つ折りするための折れ線が予め形成されていることを特徴とする請求項１に記載のバルーン取付冶具。
【請求項３】
前記リング体には、作業者の指を掛けることができる指掛け部が設けられていることを特徴とする請求項２に記載のバルーン取付冶具。
【請求項４】
前記第２導入片は、前記第１導入片よりも延長されており、かつ、前記内視鏡の挿入部又は挿入補助具が当接することによりめくり上げられる延長部分を有することを特徴とする請求項１〜３のいずれかに記載のバルーン取付冶具。
【請求項５】
二つの筒部と前記筒部と筒部の間に設けられたバルーン本体とを含むバルーンを、内視鏡の挿入部又は前記内視鏡の挿入部の体腔内への挿入を補助する挿入補助具に取り付けるためのバルーン取付方法であって、
重ね合わせられ、かつ、二つ折りされた状態の第１及び第２ガイド片を、前記筒部に挿入し、前記筒部内に位置させた後、前記二つ折りされる前の状態に戻し、
前記二つ折りされる前の状態に戻された前記第１ガイド片と前記第２ガイド片の間に、前記内視鏡の挿入部又は挿入補助具を挿入することを特徴とするバルーン取付方法。
【発明の詳細な説明】
【技術分野】
【０００１】
本発明はバルーン取付治具及びバルーン取付方法に係り、特に内視鏡の挿入部又は挿入部を体腔内に挿入する際のガイドとなる挿入補助具にバルーンを取り付けるためのバルーン取付治具に関する。
【背景技術】
【０００２】
従来、二つの筒部と前記筒部と筒部の間に設けられたバルーン本体とを含むバルーンを、内視鏡の挿入部又は前記内視鏡の挿入部の体腔内への挿入を補助する挿入補助具に取り付けるためのバルーン取付治具が提案されている（例えば特許文献１）。
【０００３】
特許文献１に記載のバルーン取付治具は、弾性部材により構成された一対の爪部材を備えており、この爪部材を弾性変形させながらバルーンの筒部に挿入した後、この一対の爪部材の間に、内視鏡の挿入部又は挿入補助具を挿入するというものである。
【特許文献１】特許第３７９４４０５号公報
【発明の開示】
【発明が解決しようとする課題】
【０００４】
しかしながら、特許文献１に記載のバルーン取付治具においては、爪部材の幅がバルーンの固定部の開口径よりも大きい状態のままで爪部材をバルーン固定部に挿入するため、爪部材をバルーン固定部の開口部に挿入するのが困難であるという問題がある。
【０００５】
本発明はこのような事情に鑑みてなされたもので、内視鏡の挿入部又は挿入補助具にバルーンを簡単に取り付けることができるバルーン取付治具を提供することを目的とする。
【課題を解決するための手段】
【０００６】
上記課題を解決するために、請求項１に記載の発明は、二つの筒部と前記筒部と筒部の間に設けられたバルーン本体とを含むバルーンを、内視鏡の挿入部又は前記内視鏡の挿入部の体腔内への挿入を補助する挿入補助具に取り付けるためのバルーン取付冶具において、軸方向に延びる一方の折れ線に沿って二つ折りされた状態の第１リング片及び軸方向に延びる他方の折れ線に沿って二つ折りされた状態の第２リング片とにより筒状に形成されたリング体と、前記リング体の縁部一端に連続し、かつ、前記一方の折れ線に沿って二つ折りされた状態の第１ガイド片、及び前記リング体の縁部他端に連続し、かつ、前記他方の折れ線に沿って二つ折りされた状態の第２ガイド片と、前記第１ガイド片の前記リング体に連続する縁部とは反対側の前記第１ガイド片の縁部に連続して形成された第１導入片、及び前記第２ガイド片の前記リング体に連続する縁部とは反対側の前記第２ガイド片の縁部に連続して形成された第２導入片と、を備え、前記第１ガイド片と前記第２ガイド片を、重ね合わせ、かつ、その軸方向の中心線に沿って二つ折りされた状態で前記筒部に挿入し、前記筒部内に位置させた後、前記二つ折りされる前の状態に戻し、前記第１導入片と前記第２導入片の間から前記リング体を介して前記二つ折りされる前の状態に戻された前記第１ガイド片と前記第２ガイド片の間に、前記内視鏡の挿入部又は前記挿入補助具が挿入されるようにしたことを特徴とする。
【０００７】
請求項１に記載の発明によれば、第１及び第２ガイド片（従来の爪部材に相当）は二つ折りされた状態（例えば二つ折りされ第１及び第２ガイド片の幅が、バルーンの筒部内径よりも短くなった状態又はバルーンの筒部内径と略同じになった状態）でバルーン筒部に挿入されるので、第１及び第２ガイド片が筒部内壁に接触することが殆どなく、第１及び第２ガイド片のバルーン筒部への挿入を極めて容易に（スムースかつ迅速に）行うことが可能となる。また、内視鏡の挿入部又は挿入補助具は、まず、リング体（第１リング片と第２リング片の間）に挿入され、次いで、リング体に設けられた第１ガイド片と第２ガイド片の間に挿入されるので、第１ガイド片と第２ガイド片の間への内視鏡の挿入部又は挿入補助具の挿入を極めて容易に（スムースかつ迅速に）行うことが可能となる。
【０００８】
請求項２に記載の発明は、請求項１に記載の発明において、前記第１及び第２ガイド片には、前記二つ折りするための折れ線が予め形成されていることを特徴とする。
【０００９】
請求項２に記載の発明によれば、第１及び第２ガイド片には、二つ折りするための折れ線が予め形成されているので、第１及び第２ガイド片を折れ線に沿って容易に二つ折りすることが可能となる。
【００１２】
請求項３に記載の発明は、請求項２に記載の発明において、前記リング体には、作業者の指を掛けることができる指掛け部が設けられていることを特徴とする。
【００１３】
請求項３に記載の発明によれば、リング体には、作業者の指を掛けることができる指掛け部が設けられているので、内視鏡の挿入部又は挿入補助具へのバルーンの取り付け及び取り付けた後の本取付治具の抜去を極めて容易に（スムースかつ迅速に）行うことが可能となる。
【００１４】
請求項４に記載の発明は、請求項１〜３のいずれかにおいて、前記第２導入片は、前記第１導入片よりも延長されており、かつ、前記内視鏡の挿入部又は挿入補助具が当接することによりめくり上げられる延長部分を有することを特徴とする。
【００１５】
請求項４に記載の発明によれば、第２導入片の延長部分が内視鏡の挿入部が当接することによりめくり上げられ、内視鏡の挿入部は、このめくり上げられた第２導入片と第１導入片の間に挿入され、次いで、リング体（第１リング片と第２リング片の間）に挿入され、次いで、リング体に設けられた第１ガイド片と第２ガイド片の間に挿入されるので、第１ガイド片と第２ガイド片の間への内視鏡の挿入部又は挿入補助具の挿入をさらに容易に（スムースかつ迅速に）行うことが可能となる。
【００１８】
請求項５に記載の発明は、二つの筒部と前記筒部と筒部の間に設けられたバルーン本体とを含むバルーンを、内視鏡の挿入部又は前記内視鏡の挿入部の体腔内への挿入を補助する挿入補助具に取り付けるためのバルーン取付方法であって、重ね合わせられ、かつ、二つ折りされた状態の第１及び第２ガイド片を、前記筒部に挿入し、前記筒部内に位置させた後、前記二つ折りされる前の状態に戻し、前記二つ折りされる前の状態に戻された前記第１ガイド片と前記第２ガイド片の間に、前記内視鏡の挿入部又は挿入補助具を挿入することを特徴とする。
【００１９】
請求項５に記載の発明によれば、第１及び第２ガイド片（従来の爪部材に相当）は二つ折りされた状態（例えば二つ折りされ第１及び第２ガイド片の幅が、バルーンの筒部内径よりも短くなった状態又はバルーンの筒部内径と略同じになった状態）でバルーン筒部に挿入されるので、第１及び第２ガイド片が筒部内壁に接触することが殆どなく、第１及び第２ガイド片のバルーン筒部への挿入を極めて容易に（スムースかつ迅速に）行うことが可能となる。
【発明の効果】
【００２０】
本発明によれば、内視鏡の挿入部又は挿入補助具にバルーンを簡単に取り付けることができるバルーン取付治具を提供することが可能となる。
【発明を実施するための最良の形態】
【００２１】
以下、本発明の一実施形態であるバルーン取付治具について図面を参照しながら説明する。
【００２２】
図１は、内視鏡の挿入部１００、バルーン２００、及び、本実施形態のバルーン取付治具３００の斜視図である。
【００２３】
バルーン２００は、二つのバルーン筒部２１０、２２０、及び、一方のバルーン筒部２１０と他方のバルーン筒部２２０の間に設けられたバルーン本体２３０（膨張部ともいう）を有しており、例えば、ゴム等の弾性体により一体的に形成されている。
【００２４】
各バルーン筒部２１０、２２０の内径は、内視鏡の挿入部１００の外径よりも小さくなっている。従って、図１に示すように、各バルーン筒部２１０、２２０に内視鏡の挿入部１００を挿入すると、バルーン２００は、各バルーン筒部２１０、２２０の弾性力により内視鏡の挿入部１００に略密着固定される。
【００２５】
図２は、本実施形態のバルーン取付治具３００の斜視図である。図３は、バルーン取付治具３００を構成するためのシートＳの平面図である。
【００２６】
バルーン取付治具３００は、バルーン２００を内視鏡の挿入部１００に取り付けるための治具であり、例えば、図３に示すシートＳ（例えば、ケント紙等の所定の剛性を有する一枚のシート）を境界線Ａ１に沿って二つ折りし、第１リング片３１１と第２リング片３１２を重ね合わせ、さらに境界線Ａ２に沿って二つ折りされた糊代片３３０と第２リング片３１２とを接着することにより構成されるリング体３１０を備えている（図２等参照）。
【００２７】
図２、図３に示すように、リング体３１０は、第１リング片３１１の縁部略中央に形成された第１導入片３２１、及び、第２リング片３１２の縁部略中央に形成されており、第１導入片３２１に重ね合わされる第２導入片３２２を備えている。
【００２８】
第２導入片３２２は、第１導入片３２１よりも延長された延長部分３２２ａを有しており、図６に示すように、この延長部分３２２ａに内視鏡の挿入部１００を当接させてめくり上げることが可能となっている。内視鏡の挿入部１００は、このめくり上げた第２導入片３２２と第１導入片３２１の間に挿入され、次いで、リング体３１０（第１リング片３１１と第２リング片３１２の間）に挿入され、次いで、リング体３１０に設けられた第１ガイド片３３１と第２ガイド片３３２の間に挿入されるので（図７参照）、第１ガイド片３３１と第２ガイド片３３２の間への内視鏡の挿入部１００の挿入を容易に（スムースかつ迅速に）行うことが可能となっている。
【００２９】
図６に示すように、第１及び第２導入片３２１、３２２の幅Ｈ１は、内視鏡の挿入部１００の径Ｈ２よりも長くなっている。従って、内視鏡の挿入部１００を延長部分３２２ａに当接させやすくなっている（すなわち、延長部分３２２ａをラフに狙っても当接させやすくなっている）。また、第１及び第２導入片３２１、３２２の幅Ｈ１は、リング体３１０の幅Ｈ３よりも短くなっている。従って、第１及び第２導入片３２１、３２２の幅Ｈ１がリング体３１０の幅Ｈ３と同じ場合と比較すると、延長部分３２２ａの剛性が弱まるので、延長部分３２２ａを比較的弱い力でめくり上げることが可能となっている。
【００３０】
図２、図３に示すように、リング体３１０は、第１導入片３２１が形成された縁部とは反対側の第１リング片３１１の縁部略中央に形成された第１ガイド片３３１、及び、第２導入片３２２が形成された第２リング片３１２の縁部とは反対側の縁部略中央に形成されており第１ガイド片３３１に重ね合わされる第２ガイド片３３２を備えている。
【００３１】
図２に示すように、第１及び第２ガイド片３３１、３３２が隣接するリング体３１０の縁部３１３は、術者等の作業者の指を掛けることができる程度の長さＨ４（例えば指の太さ）に設定されている。すなわち、この縁部３１３は、指掛け部として機能する。
【００３２】
第１及び第２ガイド片３３１、３３２は、図２に示すように重ね合わせられ、かつ、図４に示すように中心線Ａ３に沿って二つ折りされた状態で自然状態のバルーン筒部２１０に挿入される。第１及び第２ガイド片３３１、３３２は二つ折りされ幅Ｈ６がバルーンの筒部２１０内径Ｈ７よりも短くなった状態（図４参照）でバルーン筒部２１０に挿入されるので、第１及び第２ガイド片３３１、３３２がバルーン筒部２１０内壁に接触することが殆どなく、第１及び第２ガイド片３３１、３３２のバルーン筒部２１０への挿入を極めて容易に（スムースかつ迅速に）行うことが可能となっている。
【００３３】
第１及び第２ガイド片３３１、３３２（第１及び第２リング片３１１、３１２、第１及び第２導入片３２１、３２２も同様）には中心線Ａ３に沿って予め折れ線が形成されている（例えば中心線Ａ３に沿って凹部が形成されている、あるいは、中心線Ａ３に沿ってミシン目が形成されている）。従って、第１及び第２ガイド片３３１、３３２（第１及び第２リング片３１１、３１２、第１及び第２導入片３２１、３２２も同様）を中心線Ａ３に沿って容易に二つ折りすることが可能となっている。
【００３４】
図２に示すように、第１及び第２ガイド片３３１、３３２の先端にはテーパＴが形成されている。従って、第１及び第２ガイド片３３１、３３２を重ね合わせ、中心線Ａ３に沿って二つ折りすると、図４に示すように先端片側のみが傾斜した形状となる。従って、第１及び第２ガイド片３３１、３３２のバルーン筒部２１０への挿入を極めて容易に（スムースかつ迅速に）行うことが可能となっている。
【００３５】
図５に示すように、第１及び第２ガイド片３３１、３３２は、バルーン筒部２１０内に位置させられた後、二つ折りされる前の状態に戻される。
【００３６】
第１及び第２ガイド片３３１、３３２は、二つ折りされる前の幅Ｈ５が自然状態のバルーン筒部２１０内周の円周長さ（内径Ｈ６×π）の１／２よりも長くなっている（又は一方の筒部内周の円周長さの１／２と略同じになっている）。従って、第１及び第２ガイド片３３１、３３２を二つ折りする前の元の状態に戻すと、バルーン筒部２１０は、第１及び第２ガイド片３３１、３３２により押し広げられ、その弾性力により第１及び第２ガイド片３３１、３３２に密着する。
【００３７】
次に、上記構成のバルーン取付治具３００を用いてバルーン２００を内視鏡の挿入部１００に取り付ける動作について説明する。
【００３８】
まず、図２に示すように、第１リング片３１１（第１導入片３２１、第１ガイド片も３３１同様）と第２リング片３１２（第２導入片３２２、第２ガイド片３３２も同様）を重ね合わせ、さらに、図４に示すように中心線Ａ３に沿って二つ折りする。第１及び第２リング片３１１、３１２（第１及び第２導入片３２１、３２２、第１及び第２ガイド片３３１、３３２も同様）には中心線Ａ３に沿って予め折れ線が形成されている（例えば中心線に沿って凹部が形成されている、あるいは、中心線に沿ってミシン目が形成されている）ので、中心線Ａ３に沿って容易に二つ折りすることが可能となっている。
【００３９】
次に、図４に示すように二つ折りされた状態の第１及び第２ガイド片３３１、３３２を自然状態のバルーン筒部２１０に挿入する。第１及び第２ガイド片３３１、３３２は二つ折りされた幅Ｈ６がバルーン筒部２１０内径Ｈ７よりも短くなった状態（図４参照）でバルーン筒部２１０に挿入されるので、第１及び第２ガイド片３３１、３３２がバルーン筒部２１０内壁に接触することが殆どなく、第１及び第２ガイド片３３１、３３２のバルーン筒部２１０への挿入を極めて容易に（スムースかつ迅速に）行うことが可能となっている。
【００４０】
次に、図５に示すように、バルーン筒部２１０内に位置させられた第１及び第２ガイド片３３１、３３２を二つ折りされる前の状態に戻す。第１及び第２ガイド片３３１、３３２は、二つ折りされる前の幅Ｈ５が自然状態のバルーン筒部２１０内周の円周長さ（内径Ｈ６×π）の１／２よりも長くなっている（又は筒部２１０内周の円周長さの１／２と略同じになっている）。従って、第１及び第２ガイド片３３１、３３２を二つ折りする前の元の状態に戻すと、バルーン筒部２１０は、第１及び第２ガイド片３３１、３３２により押し広げられ、その弾性力により第１及び第２ガイド片３３１、３３２に密着する。
【００４１】
次に、図６に示すように、第２導入片３２２の延長部分３２２ａに内視鏡の挿入部１００を当接させてめくり上げる。これにより、内視鏡の挿入部１００を、このめくり上げた第２導入片３２２と第１導入片３２１の間に、次いで、リング体３１０（第１リング片３１１と第２リング片３１２の間）に、次いで、リング体３１０に設けられた第１ガイド片３３１と第２ガイド片３３２の間に（図７参照）、順次挿入することが可能となっている。
【００４２】
この挿入に際しては、第１及び第２ガイド片３３１、３３２が隣接するリング体３１０の縁部３１３（指掛け部。図２等参照）に、術者等の作業者の指を掛けることができるので、内視鏡の挿入部１００へのバルーン２００の取り付け及び取り付けた後の本取付治具の抜去を極めて容易に（スムースかつ迅速に）行うことが可能となっている。
【００４３】
なお、図６に示すように、第１及び第２導入片３２１、３２２の幅Ｈ１は、内視鏡の挿入部１００の径Ｈ２よりも長くなっている。従って、内視鏡の挿入部１００を延長部分３２２ａに当接させやすくなっている（すなわち、延長部分３２２ａをラフに狙っても当接させやすくなっている）。また、第１及び第２導入片３２１、３２２の幅Ｈ１は、リング体３１０の幅Ｈ３よりも短くなっている。従って、第１及び第２導入片３２１、３２２の幅Ｈ１がリング体３１０の幅Ｈ３と同じ場合と比較すると、延長部分３２２ａの剛性が弱まるので、延長部分３２２ａを比較的弱い力でめくり上げることが可能となっている。
【００４４】
第１及び第２ガイド片３３１、３３２は、バルーン筒部２１０よりも摩擦係数の小さいシートＳにより形成されている。また、図８に示すように、第１及び第２ガイド片３３１、３３２は、中心線Ａ３に沿って折れ曲がり、内視鏡の挿入部１００外周面と線接触する。さらに、図７、図８に示すように第１ガイド片３３１と第２ガイド片３３２の間（すなわちバルーン筒部２１０）に内視鏡の挿入部１００を挿入した状態で、バルーン筒部２１０と内視鏡の挿入部１００の間に間隔Ｈ８が形成される。従って、内視鏡の挿入部１００を第１ガイド片３３１と第２ガイド片３３２の間（すなわちバルーン筒部２１０）にスムースに（内視鏡の挿入部１００がバルーン筒部２１０に接触することなく）挿入することが可能となっている。
【００４５】
次に、指掛け部３１３に術者等の作業者の指を掛けてバルーン取付治具３００（及びバルーン２００）を図７中の矢印方向に移動させ、例えば、図１に示す所定取付位置にバルーン取付治具３００（及びバルーン２００）を位置させる。そして、バルーン筒部２１０と内視鏡の挿入部１００の間からバルーン取付治具３００（すなわち第１及び第２ガイド片３３１、３３２）を抜き取る。これにより、内視鏡の挿入部１００へのバルーン２００の取付が完了する。
【００４６】
なお、上記のように第１ガイド片３３１と第２ガイド片３３２の間に内視鏡の挿入部１００を挿入すると、第１及び第２ガイド片３３１、３３２との間隔（バルーン筒部２１０）がさらに押し広げられ、バルーン筒部２１０の弾性力により、第１及び第２ガイド片３３１、３３２とバルーン筒部２１０はさらに強固に密着するので、バルーン取付治具３００（及びバルーン２００）を図７中の矢印方向に移動させても、バルーン筒部２１０が第１及び第２ガイド片３３１、３３２から脱落することはない。
【００４７】
その後、第１リング片３１１と第２リング片３１２を離間する方向に広げてバルーン取付治具３００を図７の矢印とは反対方向に移動させバルーン２００の上から抜き取る。その時に、指掛け部３１３がＨ４（又リング体３１０がＨ３）という所定の幅を有しているため、第１リング片３１１と第２リング片３１２を離間する方向に広げた時にバルーン２００に接触しない程度の径を持ち、バルーン２００を傷つけずに抜き取れる。なお、第１リング片３１１と第２リング片３１２を離間する方向に広げた時の径はバルーン２００に若干接触しても、バルーン２００を傷つけない程度の大きさであれば問題ない。
【００４８】
次に、変形例について説明する。
【００４９】
上記実施形態では、バルーン取付治具３００は、バルーン２００を内視鏡の挿入部１００に取り付けるための治具であるように説明したが、本発明はこれに限定されない。例えば、バルーン取付治具３００を用いて、バルーン２００を内視鏡の挿入部１００の体腔内への挿入を補助する挿入補助具（図示せず）に取り付けることも可能である。
【００５０】
また、上記実施形態では、バルーン取付治具３００は、リング体３１０を備えているように説明したが、本発明はこれに限定されない。例えば、図９に示すように、リング体３１０を設けることなく、第１及び第２導入片３２１、３２２と第１及び第２ガイド片３３１、３３２のみでバルーン取付治具３００を構成してもよい。あるいは、図１０に示すように、第１及び第２ガイド片３３１、３３２のみでバルーン取付治具３００を構成してもよい。
【００５１】
上記実施形態はあらゆる点で単なる例示にすぎない。これらの記載によって本発明は限定的に解釈されるものではない。本発明はその精神または主要な特徴から逸脱することなく他の様々な形で実施することができる。
【図面の簡単な説明】
【００５２】
【図１】内視鏡の挿入部１００、バルーン２００、及び、本実施形態のバルーン取付治具３００の斜視図である。
【図２】バルーン取付治具３００の斜視図である。
【図３】バルーン取付治具３００を構成するためのシートＳの平面図である。
【図４】二つ折りした状態のバルーン取付治具３００（第１及び第２ガイド片３３１、３３２）とバルーン２００（バルーン筒部２１０）との関係を説明するための図である。
【図５】二つ折りする前のバルーン取付治具３００（第１及び第２ガイド片３３１、３３２）とバルーン２００（バルーン筒部２１０）との関係を説明するための図である。
【図６】第２導入片３２２の延長部分３２２ａの機能を説明するための図である。
【図７】バルーン取付治具３００（第１及び第２ガイド片３３１、３３２）の間に内視鏡の挿入部１００を挿入した状態を説明するための図である。
【図８】図７のＡ−Ａ´で切断した断面図である。
【図９】バルーン取付治具３００の変形例を説明するための図である。
【図１０】バルーン取付治具３００の変形例を説明するための図である。
【符号の説明】
【００５３】
１００…内視鏡の挿入部、２００…バルーン、２１０…バルーン筒部、２２０…バルーン筒部、３００…バルーン取付治具、３１０…リング体、３１１…第１リング片、３１２…第２リング片、３１３…縁部（指掛け部）、３２１…第１導入片、３２２…第２導入片、３２２ａ…延長部分、３３０…糊代片、３３１…第１ガイド片、３３２…第２ガイド片、Ａ１、Ａ２…境界線、Ａ３…中心線、Ｓ…シート、Ｔ…テーパ
【図１】
0004981554.tif 000002
【図２】
0004981554.tif 000003
【図３】
0004981554.tif 000004
【図４】
0004981554.tif 000005
【図５】
0004981554.tif 000006
【図６】
0004981554.tif 000007
【図７】
0004981554.tif 000008
【図８】
0004981554.tif 000009
【図９】
0004981554.tif 000010
【図１０】
0004981554.tif 000011